(57)【要約】      （修正有）【課題】収納カバーを備えた抱っこ紐及び収納カバーを提供する。【解決手段】抱っこ紐Ｂは、左右の肩に掛ける左右一対の肩ベルト１と、幼児を保持する保持部２と、腰ベルト３を備えた抱っこ紐Ｂであって、左右一対の肩ベルト１及び保持部２を収納する収納カバーＰとを備え、収納カバーＰは、上部に左右一対の肩ベルト１及び保持部２を出し入れする出し入れ口と、腰ベルト３の一方の帯状ベルト３１を通す第１の通し部と、腰ベルト３の他方の帯状ベルト３２を通す第２の通し部とを有し、出し入れ口が上方に臨むように、腰ベルト３の前記一方の帯状ベルト３１を第１の通し部に、腰ベルト３の他方の帯状ベルト３２を第２の通し部に、それぞれ通して、抱っこ紐Ｂに収納カバーＰを装着し、装着状態は、収納カバーＰの一方側が装着者の腹側に、収納カバーＰの他方側が外方に位置し、出し入れ口が上方に臨んでいるものである。【選択図】図１
2019037612.tif 000002
【特許請求の範囲】
【請求項１】
左右の肩に掛ける左右一対の肩ベルトと、幼児を保持する保持部と、腰ベルトを備えた抱っこ紐であって、
前記左右一対の肩ベルト及び前記保持部を収納する収納カバーとを備え、
前記収納カバーは、上部に前記左右一対の肩ベルト及び前記保持部を出し入れする出し入れ口と、前記腰ベルトの一方の帯状ベルトを通す第１の通し部と、前記腰ベルトの他方の帯状ベルトを通す第２の通し部とを有し、
前記出し入れ口が上方に臨むように、前記腰ベルトの前記一方の帯状ベルトを前記第１の通し部に、前記腰ベルトの前記他方の帯状ベルトを前記第２の通し部に、それぞれ通して、前記抱っこ紐に前記収納カバーを装着し、装着状態は、前記収納カバーの一方側が装着者の腹側に、前記収納カバーの他方側が装着者の前側に位置し、前記出し入れ口が上方に臨んでいる
ことを特徴とする抱っこ紐。
【請求項２】
左右の肩に掛ける左右一対の肩ベルトと、幼児を保持する保持部と、腰ベルトを備えた抱っこ紐であって、
前記左右一対の肩ベルト及び前記保持部を収納する収納カバーとを備え、
前記収納カバーは、上部に前記左右一対の肩ベルト及び前記保持部を出し入れする第１の出し入れ口と、下部に前記左右一対の肩ベルト及び前記保持部を出し入れする第２の出し入れ口と、前記腰ベルトの一方の帯状ベルトを通す第１の通し部と、前記腰ベルトの他方の帯状ベルトを通す第２の通し部とを有し、
前記腰ベルトの前記一方の帯状ベルトを前記第１の通し部に、前記腰ベルトの前記他方の帯状ベルトを前記第２の通し部に、それぞれ通して、前記抱っこ紐に装着し、装着状態は、前記収納カバーの一方側が装着者の腹側に、前記収納カバーの他方側が装着者の前側に位置し、前記第１の出し入れ口又は前記第２の出し入れ口が上方に臨んでいる
ことを特徴とする抱っこひも。
【請求項３】
左右一対の肩ベルト及び保持部を出し入れする出し入れ口の周囲にゴムを通して、前記出し入れ口が伸縮可能となるように構成した
ことを特徴とする請求項１又は請求項２記載の抱っこ紐。
【請求項４】
第１の通し部及び第２の通し部の開口部の周囲にゴムを通して、前記開口部が伸縮可能となるように構成し、
第１の通し部の開口部縁部が腰ベルトの一方の帯状ベルトに、第２の通し部の開口部縁部が腰ベルトの他方の帯状ベルトに、それぞれ係止する
ことを特徴とする請求項３記載の抱っこ紐。
【請求項５】
収納カバーの前側にチャック付き小物入れ収納部を設けたものであり、
前記前側は、抱っこ紐の装着者から見て前側である
ことを特徴とする請求項１又は請求項２記載の抱っこ紐。
【請求項６】
左右の肩に掛ける左右一対の肩ベルトと、幼児を保持する保持部と、腰ベルトを備えた抱っこ紐の前記左右一対の肩ベルト及び前記保持部を収納する収納カバーであって、
前記収納カバーは、上部に前記左右一対の肩ベルト及び前記保持部を出し入れする出し入れ口と、前記腰ベルトの一方の帯状ベルトを通す第１の通し部と、前記腰ベルトの他方の帯状ベルトを通す第２の通し部とを有している
ことを特徴とする収納カバー。
【請求項７】
左右の肩に掛ける左右一対の肩ベルトと、幼児を保持する保持部と、腰ベルトを備えた抱っこ紐の前記左右一対の肩ベルト及び前記保持部を収納する収納カバーであって、
前記収納カバーは、上部に前記左右一対の肩ベルト及び前記保持部を出し入れする第１の出し入れ口と、下部に前記左右一対の肩ベルト及び前記保持部を出し入れする第２の出し入れ口と、前記腰ベルトの一方の帯状ベルトを通す第１の通し部と、前記腰ベルトの他方の帯状ベルトを通す第２の通し部とを有している
ことを特徴とする収納カバー。
【発明の詳細な説明】
【技術分野】
【０００１】
本発明は、抱っこ紐及び収納カバーに係り、特に、抱っこ紐の左右一対の肩ベルト及び保持部を収納することができる抱っこ紐及び収納カバーに関する。
【背景技術】
【０００２】
従来、幼児を抱っこする際、左右の肩に掛ける左右一対の肩ベルトと、幼児を保持する保持部と、腰ベルトを備えた抱っこ紐が使用されている。
【発明の概要】
【発明が解決しようとする課題】
【０００３】
ところが、上記抱っこ紐にあっては、幼児を抱っこしない場合、左右の肩に掛ける左右一対の肩ベルトと、幼児を保持する保持部が装着者の前に垂れて、歩き辛いと共に、見映えも良くないという問題点が生じた。
【０００４】
本発明は、前記問題点を考慮したなされた使用勝手を向上した抱っこ紐の左右一対の肩ベルト及び保持部を収納することができる抱っこ紐及び収納カバーを提供することを目的とする。
【課題を解決するための手段】
【０００５】
請求項１記載の抱っこ紐は、左右の肩に掛ける左右一対の肩ベルトと、幼児を保持する保持部と、腰ベルトを備えた抱っこ紐であって、前記左右一対の肩ベルト及び前記保持部を収納する収納カバーとを備え、前記収納カバーは、上部に前記左右一対の肩ベルト及び前記保持部を出し入れする出し入れ口と、前記腰ベルトの一方の帯状ベルトを通す第１の通し部と、前記腰ベルトの他方の帯状ベルトを通す第２の通し部とを有し、前記出し入れ口が上方に臨むように、前記腰ベルトの前記一方の帯状ベルトを前記第１の通し部に、前記腰ベルトの前記他方の帯状ベルトを前記第２の通し部に、それぞれ通して、前記抱っこ紐に前記収納カバーを装着し、装着状態は、前記収納カバーの一方側が装着者の腹側に、前記収納カバーの他方側が装着者の前側に位置し、前記出し入れ口が上方に臨んでいるものである。
【０００６】
また、請求項２記載の抱っこ紐は、左右の肩に掛ける左右一対の肩ベルトと、幼児を保持する保持部と、腰ベルトを備えた抱っこ紐であって、前記左右一対の肩ベルト及び前記保持部を収納する収納カバーとを備え、前記収納カバーは、上部に前記左右一対の肩ベルト及び前記保持部を出し入れする第１の出し入れ口と、下部に前記左右一対の肩ベルト及び前記保持部を出し入れする第２の出し入れ口と、前記腰ベルトの一方の帯状ベルトを通す第１の通し部と、前記腰ベルトの他方の帯状ベルトを通す第２の通し部とを有し、前記腰ベルトの前記一方の帯状ベルトを前記第１の通し部に、前記腰ベルトの前記他方の帯状ベルトを前記第２の通し部に、それぞれ通して、前記抱っこ紐に装着し、装着状態は、前記収納カバーの一方側が装着者の腹側に、前記収納カバーの他方側が装着者の前側に位置し、前記第１の出し入れ口又は前記第２の出し入れ口が上方に臨んでいるものである。
【０００７】
また、請求項３記載の抱っこ紐は、請求項１又は請求項２記載の抱っこ紐において、左右一対の肩ベルト及び保持部を出し入れする出し入れ口の周囲にゴムを通して、前記出し入れ口が伸縮可能となるように構成したものである。
【０００８】
また、請求項４記載の抱っこ紐は、請求項３記載の抱っこ紐において、第１の通し部及び第２の通し部の開口部の周囲にゴムを通して、前記開口部が伸縮可能となるように構成し、第１の通し部の開口部縁部が腰ベルトの一方の帯状ベルトに、第２の通し部の開口部縁部が腰ベルトの他方の帯状ベルトに、それぞれ係止するものである。
【０００９】
また、請求項５記載の抱っこ紐は、請求項１又は請求項２記載の抱っこ紐において、収納カバーの前側にチャック付き小物入れ収納部を設けたものであり、前記前側は、抱っこ紐の装着者から見て前側である。
【００１０】
また、請求項６記載の収納カバーは、左右の肩に掛ける左右一対の肩ベルトと、幼児を保持する保持部と、腰ベルトを備えた抱っこ紐の前記左右一対の肩ベルト及び前記保持部を収納する収納カバーであって、前記収納カバーは、上部に前記左右一対の肩ベルト及び前記保持部を出し入れする出し入れ口と、前記腰ベルトの一方の帯状ベルトを通す第１の通し部と、前記腰ベルトの他方の帯状ベルトを通す第２の通し部とを有しているものである。
【００１１】
また、請求項７記載の収納カバーは、左右の肩に掛ける左右一対の肩ベルトと、幼児を保持する保持部と、腰ベルトを備えた抱っこ紐の前記左右一対の肩ベルト及び前記保持部を収納する収納カバーであって、前記収納カバーは、上部に前記左右一対の肩ベルト及び前記保持部を出し入れする第１の出し入れ口と、下部に前記左右一対の肩ベルト及び前記保持部を出し入れする第２の出し入れ口と、前記腰ベルトの一方の帯状ベルトを通す第１の通し部と、前記腰ベルトの他方の帯状ベルトを通す第２の通し部とを有しているものである。
【発明の効果】
【００１２】
請求項１記載の抱っこ紐によれば、収納カバーは、腰ベルトの一方の帯状ベルトを通す第１の通し部と、腰ベルトの他方の帯状ベルトを通す第２の通し部とを有しているため、抱っこ紐の腰ベルトを利用して、抱っこ紐に収納カバーを容易に取り付けることができ、抱っこ紐を使用しないとき、収納カバーに抱っこ紐の左右一対の肩ベルト及び保持部を収納して、抱っこ紐の使用勝手を向上させることができる。
【００１３】
また、請求項２記載の抱っこ紐によれば、収納カバーは、腰ベルトの一方の帯状ベルトを通す第１の通し部と、腰ベルトの他方の帯状ベルトを通す第２の通し部とを有しているため、抱っこ紐の腰ベルトを利用して、抱っこ紐に収納カバーを容易に取り付けることができ、抱っこ紐を使用しないとき、収納カバーに抱っこ紐の左右一対の肩ベルト及び保持部を収納して、抱っこ紐の使用勝手を向上させることができる。
なお、抱っこ紐の左右一対の肩ベルト及び保持部を収納カバーに収納する際、出し入れ口が１個である場合、出し入れ口が上方に臨むように、抱っこ紐の腰ベルトの一方の帯状ベルトを収納カバーの第１の通し部に、抱っこ紐の腰ベルトの他方の帯状ベルトを収納カバーの第２の通し部に、それぞれ通さなければならないが、
請求項２記載の抱っこ紐によれば、収納カバーに抱っこ紐の左右一対の肩ベルト及び保持部を出し入れする出し入れ口が、上部に第１の出し入れ口、下部に第２の出し入れ口と２個あるため、第１の出し入れ口又は第２の出し入れ口が上方に臨むように取り付けられるため、出し入れ口の開口位置を気にすることなく、収納カバーを抱っこ紐に迅速に装着することができる。
【００１４】
また、請求項３記載の抱っこ紐によれば、上述した請求項１又は請求項２記載の発明の効果に加え、左右一対の肩ベルト及び保持部を出し入れする出し入れ口の周囲にゴムを通して、前記出し入れ口が伸縮可能となるように構成したため、左右一対の肩ベルト及び保持部を出し入れが容易であると共に、収納カバーに左右一対の肩ベルト及び保持部を収納した際には、左右一対の肩ベルト及び保持部の収納状態を保持することができる。
【００１５】
また、請求項４記載の抱っこ紐によれば、上述した請求項３記載の発明の効果に加え、第１の通し部及び第２の通し部の開口部の周囲にゴムを通して、前記開口部が伸縮可能となるように構成し、第１の通し部の開口部縁部が腰ベルトの一方の帯状ベルトに、第２の通し部の開口部縁部が腰ベルトの他方の帯状ベルトに、それぞれ係止するため、収納カバーを腰ベルトの所定の位置に保持でき、第１の通し部及び第２の通し部の開口部がゴムにより狭まり、開口部の周囲にゴムがないものに比較し、見映えをも向上させることができる。
【００１６】
また、請求項５記載の抱っこ紐によれば、上述した請求項１又は請求項２記載の発明の効果に加え、チャック付き小物入れ収納部を収納カバーの外側に設けたため、収納カバーを利用して小物を収納することができ、収納した後、抱っこ紐の装着者から見て前側に位置するチャックを閉めれば、迅速且つ容易に小物を収納することができる。
【００１７】
また、請求項６記載の収納カバーによれば、収納カバーは、腰ベルトの一方の帯状ベルトを通す第１の通し部と、腰ベルトの他方の帯状ベルトを通す第２の通し部とを有しているため、抱っこ紐の腰ベルトを利用して、抱っこ紐に収納カバーを容易に取り付けることができ、抱っこ紐を使用しないとき、収納カバーに抱っこ紐の左右一対の肩ベルト及び保持部を収納して、抱っこ紐の使用勝手を向上させることができる。
【００１８】
また、請求項７記載の収納カバーによれば、収納カバーは、腰ベルトの一方の帯状ベルトを通す第１の通し部と、腰ベルトの他方の帯状ベルトを通す第２の通し部とを有しているため、抱っこ紐の腰ベルトを利用して、抱っこ紐に収納カバーを容易に取り付けることができ、抱っこ紐を使用しないとき、収納カバーに抱っこ紐の左右一対の肩ベルト及び保持部を収納して、抱っこ紐の使用勝手を向上させることができる。
なお、抱っこ紐の左右一対の肩ベルト及び保持部を収納カバーに収納する際、出し入れ口が１個である場合、出し入れ口が上方に臨むように、抱っこ紐の腰ベルトの一方の帯状ベルトを収納カバーの第１の通し部に、抱っこ紐の腰ベルトの他方の帯状ベルトを収納カバーの第２の通し部に、それぞれ通さなければならないが、
請求項７記載の収納カバーによれば、収納カバーに抱っこ紐の左右一対の肩ベルト及び保持部を出し入れする出し入れ口が、上部に第１の出し入れ口、下部に第２の出し入れ口と２個あるため、第１の出し入れ口又は第２の出し入れ口が上方に臨むように取り付けられるため、出し入れ口の開口位置を気にすることなく、収納カバーを抱っこ紐に迅速に装着することができる。
【図面の簡単な説明】
【００１９】
【図１】図１は、本発明の一実施例の抱っこ紐に収納カバーを装着する前の平面視写真である。
【図２】図２は、図１の収納カバーの平面視写真である。
【図３】図３は、図２の収納カバーの開口部付近を拡大して示す平面視一部拡大写真である。
【図４】図４は、図２の収納カバーの第１の通し部付近を拡大して示す平面視一部拡大写真である。
【図５】図５は、図２の収納カバーの第２の通し部付近を拡大して示す平面視一部拡大写真である。
【図６】図６は、図１の収納カバーの第１の通し部に抱っこ紐の腰ベルトの一方の帯状ベルトを通す前の写真である。
【図７】図７は、図６の収納カバーの第１の通し部に抱っこ紐の腰ベルトの一方の帯状ベルトを通した写真である。
【図８】図８は、図７の収納カバーの第２の通し部に抱っこ紐の腰ベルトの他方の帯状ベルトを通す前の写真である。
【図９】図９は、図８の収納カバーの第２の通し部に抱っこ紐の腰ベルトの他方の帯状ベルトを通した写真である。
【図１０】図１０は、図９の抱っこ紐の使用状態の写真である。
【図１１】図１１は、図１０の抱っこ紐の不使用状態の写真である。
【図１２】図１２は、図１１の左右一対の肩ベルト及び保持部を収納カバーに収納する前の写真である。
【図１３】図１３は、図１２の左右一対の肩ベルト及び保持部を丸め、収納カバーに収納する前の写真である。
【図１４】図１４は、図１３の丸めた左右一対の肩ベルト及び保持部を収納カバーに一部収納した状態の写真である。
【図１５】図１５は、図１４の丸めた左右一対の肩ベルト及び保持部を収納カバーに一部収納した状態の写真である。
【図１６】図１６は、図１５の丸めた左右一対の肩ベルト及び保持部を収納カバーに収納した写真である。
【図１７】図１７は、図１６の収納カバーの開口部を閉じる前の写真である。
【図１８】図１８は、図１７の収納カバーの開口部を閉じた写真である。
【図１９】図１９は、図１８の収納カバーのチャック付き小物入れ収納部に小物を一部入れた写真である。
【図２０】図２０は、図１９の収納カバーのチャック付き小物入れ収納部に小物を入れた写真である。
【発明を実施するための形態】
【００２０】
本発明の一実施例の抱っこ紐及び収納カバーを図面（図１乃至図２０）を参照して説明する。
図１に示すＰは収納カバーで、収納カバーＰは、抱っこ紐（ベビーキャリー又はおんぶ紐）Ｂの左右一対の肩ベルト１及び保持部２を収納するものである。
抱っこ紐Ｂは、左右の肩に掛ける左右一対の肩ベルト１と、幼児を保持する保持部２と、腰ベルト３とを備えている。
【００２１】
収納カバーＰは、上部に左右一対の肩ベルト１及び保持部２を出し入れする出し入れ口１０と、腰ベルト３の一方の帯状ベルト３１を通す第１の通し部１１と、腰ベルト３の他方の帯状ベルト３２を通す第２の通し部１２とを有している。
左右一対の肩ベルト１及び保持部２を出し入れする出し入れ口１０の周囲１０Ａには、ゴムを通して、開口部１０が伸縮可能となるように構成している。
出し入れ口１０の周囲１０Ａには、ゴムを通して、出し入れ口１０が伸縮可能となるように構成しているため、左右一対の肩ベルト１及び保持部２を出し入れが容易であると共に、収納カバーＰに左右一対の肩ベルト１及び保持部２を収納した際には、左右一対の肩ベルト１及び保持部２の収納状態を保持することができる。
【００２２】
収納カバーＰを抱っこ紐Ｂに装着するには、図６乃至図９に示すように、出し入れ口１０が上方に臨むように、腰ベルト３の一方の帯状ベルト３１を第１の通し部１１に（具体的には、腰ベルト３の一方の帯状ベルト３１を出し入れ口１０から入れて第１の通し部１１に通す。）、腰ベルト３の他方の帯状ベルト３２を第２の通し部１２（具体的には、腰ベルト３の他方の帯状ベルト３２を出し入れ口１０から入れて第２の通し部１２に通す。）に、それぞれ通して、抱っこ紐Ｂに収納カバーＰを装着することができる。
抱っこ紐Ｂに収納カバーＰを装着した状態にあっては、収納カバーＰを、腰ベルト３の一方の帯状ベルト３１、腰ベルト３の他方の帯状ベルト３２を移動させることができる。
装着状態は、収納カバーＰの一方側Ｐ１が装着者の腹側に、収納カバーＰの他方側Ｐ２が装着者の前側に位置し、出し入れ口１０が上方に臨んでいる。
【００２３】
従って、上述した抱っこ紐Ｂによれば、収納カバーＰは、腰ベルト３の一方の帯状ベルト３１を通す第１の通し部１１と、腰ベルト３の他方の帯状ベルト３２を通す第２の通し部１２とを有しているため、抱っこ紐Ｂの腰ベルト３を利用して、抱っこ紐Ｂに収納カバーＰを容易に取り付けることができ、抱っこ紐Ｂを使用しないとき図１１乃至図２０に示すように、収納カバーＰに抱っこ紐Ｂの左右一対の肩ベルト１及び保持部２を、例えば、図１２乃至図１５に示すように、丸めて、収納して、抱っこ紐Ｂの使用勝手を向上させることができる。
【００２４】
なお、第１の通し部１１及び第２の通し部１２の開口部１１Ａ、１２Ａの周囲には、ゴムを通して、開口部１１Ａ、１２Ａが伸縮可能となるように構成し、第１の通し部１１の開口部縁部が腰ベルト３の一方の帯状ベルト３１に、第２の通し部１２の開口部縁部が腰ベルト３の他方の帯状ベルト３２に、それぞれ係止している。
このように、第１の通し部１１及び第２の通し部１２の開口部１１Ａ、１２Ａの周囲にゴムを通して、開口部１１Ａ、１２Ａが伸縮可能となるように構成し、第１の通し部１１の開口部縁部が腰ベルト３の一方の帯状ベルト３１に、第２の通し部１２の開口部縁部が腰ベルト３の他方の帯状ベルト３２に、それぞれ係止するため、収納カバーＰを腰ベルト３の所定の位置に保持でき、第１の通し部１１及び第２の通し部１２の開口部１１Ａ、１２Ａがゴムにより狭まり、開口部１１Ａ、１２Ａの周囲にゴムがないものに比較し、見映えをも向上させることができる。
【００２５】
また、収納カバーＰの前側には、図１９及び図２０に示すように、チャック付き小物入れ収納部１３を設けている。前記前側は、抱っこ紐Ｂの装着者から見て前側である。
その結果、収納カバーＰを利用して小物（例えば、携帯電話）Ｔを収納することができ、収納した後、抱っこ紐Ｂの装着者から見て前側に位置するチャック１４を閉めれば、迅速且つ容易に小物Ｔを収納することができる。
【００２６】
なお、抱っこ紐Ｂの左右一対の肩ベルト１及び保持部２を収納カバーＰに収納する際、出し入れ口１０が１個である場合、出し入れ口１０が上方に臨むように、抱っこ紐Ｂの腰ベルト３の一方の帯状ベルト３１を収納カバーＰの第１の通し部１１に、抱っこ紐Ｂの腰ベルト３の他方の帯状ベルト３２を収納カバーＰの第２の通し部１２に、それぞれ通さなければならないが、
図示しないが、収納カバーＰに抱っこ紐Ｂの左右一対の肩ベルト１及び保持部２を出し入れする出し入れ口が、上部に第１の出し入れ口、下部に第２の出し入れ口と２個設けると良い。
その結果、第１の出し入れ口又は第２の出し入れ口が上方に臨むように取り付けられるため、出し入れ口の開口位置を気にすることなく、収納カバーＰを抱っこ紐Ｂに迅速に装着することができる。
本実施例は、図示しないが、図２乃至図５記載の収納カバーＰに抱っこ紐Ｂの左右一対の肩ベルト１及び保持部２を出し入れする出し入れ口１０が、上部に設けられたものに加えて、図２乃至図５記載の収納カバーＰの下部に抱っこ紐Ｂの左右一対の肩ベルト１及び保持部２を出し入れする出し入れ口を設けたものである。
かかる抱っこ紐は、左右の肩に掛ける左右一対の肩ベルトと、幼児を保持する保持部と、腰ベルトを備えた抱っこ紐であって、前記左右一対の肩ベルト及び前記保持部を収納する収納カバーとを備え、前記収納カバーは、上部に前記左右一対の肩ベルト及び前記保持部を出し入れする第１の出し入れ口と、下部に前記左右一対の肩ベルト及び前記保持部を出し入れする第２の出し入れ口と、前記腰ベルトの一方の帯状ベルトを通す第１の通し部と、前記腰ベルトの他方の帯状ベルトを通す第２の通し部とを有し、前記腰ベルトの前記一方の帯状ベルトを前記第１の通し部に、前記腰ベルトの前記他方の帯状ベルトを前記第２の通し部に、それぞれ通して、前記抱っこ紐に装着し、装着状態は、前記収納カバーの一方側が装着者の腹側に、前記収納カバーの他方側が外方に位置し、前記第１の出し入れ口又は前記第２の出し入れ口が上方に臨んでいるものである。
【符号の説明】
【００２７】
Ｂ      抱っこ紐
Ｐ      収納カバー
Ｐ１    一方側
Ｐ２    他方側
１      左右一対の肩ベルト
２      保持部
３      腰ベルト
１０    出し入れ口
１１    第１の通し部
１２    第２の通し部
３１    一方の帯状ベルト
３２    他方の帯状ベルト
【図１】
2019037612.tif 000003
【図２】
2019037612.tif 000004
【図３】
2019037612.tif 000005
【図４】
2019037612.tif 000006
【図５】
2019037612.tif 000007
【図６】
2019037612.tif 000008
【図７】
2019037612.tif 000009
【図８】
2019037612.tif 000010
【図９】
2019037612.tif 000011
【図１０】
2019037612.tif 000012
【図１１】
2019037612.tif 000013
【図１２】
2019037612.tif 000014
【図１３】
2019037612.tif 000015
【図１４】
2019037612.tif 000016
【図１５】
2019037612.tif 000017
【図１６】
2019037612.tif 000018
【図１７】
2019037612.tif 000019
【図１８】
2019037612.tif 000020
【図１９】
2019037612.tif 000021
【図２０】
2019037612.tif 000022